(57)【要約】【課題】液晶表示装置及びその駆動方法において、データライン数及びそれによるデータドライバの出力チャネル数をそれぞれ１／３に減少させ、製造コストを減少させるとともに、消費電力を減少させ、かつ、隣接する単位画素ごとに画像信号のトランジッションを異ならせることによって色感不良を防止し、画質を向上させる。【解決手段】複数のデータライン及びゲートラインによって定義される領域ごとに形成され、前記データラインの方向に沿って少なくとも３色が反復的に配置されるとともに、前記ゲートラインの方向に沿って同じ色が配置される複数の画素セルを持つ表示部を備え、前記データラインの方向に沿って２Ｎ（Ｎは、自然数）個の画素セル単位に相互に異なる極性の画像信号が供給される液晶表示装置とした。【選択図】図２
2008139872.tif 000002
【特許請求の範囲】
【請求項１】
複数のデータライン及びゲートラインによって定義される領域ごとに形成され、前記データラインの方向に沿って少なくとも３色が反復的に配置されるとともに、前記ゲートラインの方向に沿って同じ色が配置される複数の画素セルを持つ表示部を備えてなり、
前記データラインの方向に沿って２Ｎ（Ｎは、自然数）個の画素セル単位に相互に異なる極性の画像信号が供給されることを特徴とする、液晶表示装置。
【請求項２】
前記データラインの方向に沿って隣接する少なくとも３色の画素セルは、一つの単位画素を構成することを特徴とする、請求項１に記載の液晶表示装置。
【請求項３】
複数のデータライン及びゲートラインによって定義される領域ごとに形成され、前記データラインの方向に沿って少なくとも３色が反復的に配置されるとともに、前記ゲートラインの方向に沿って同じ色が配置される複数の画素セルと、
前記データラインの方向に沿って隣接する少なくとも３色の画素セルで構成された単位画素と、を備えてなり、
前記各単位画素の少なくとも３色画素セルのうち、画像信号のトランジッション（Ｔｒａｎｓｉｔｉｏｎ）が発生する前記画素セルが、前記データラインの方向に沿って隣接する単位画素と異なることを特徴とする、液晶表示装置。
【請求項４】
前記ゲートラインを順次に駆動するゲートドライバと、
前記データラインに画像信号を供給するデータドライバと、
外部からのソースデータをデータ信号として整列して前記データドライバに供給するとともに、前記ゲート及び前記データドライバを制御するタイミング制御部と、
をさらに備えてなることを特徴とする、請求項７または請求項３に記載の液晶表示装置。
【請求項５】
前記タイミング制御部は、
１水平区間を第１乃至第３サブ区間に時分割し、前記ソースデータを前記各サブ区間に対応するように前記データ信号として整列して前記データドライバに供給し、
前記データラインの方向に沿って２Ｎ個の画素セル単位に画像信号の極性を異ならせるための極性制御信号を含む制御信号を生成することを特徴とする、請求項４に記載の液晶表示装置。
【請求項６】
前記データドライバは、前記データ信号を前記画像信号に変換するとともに、前記極性制御信号によって前記画像信号の極性を反転させて前記データラインに供給することを特徴とする、請求項５に記載の液晶表示装置。
【請求項７】
前記データドライバは、前記ゲートラインの方向に沿って隣接する画素セルに相互に異なる極性の画像信号を供給することを特徴とする、請求項６に記載の液晶表示装置。
【請求項８】
複数のデータライン及びゲートラインによって定義される領域ごとに形成され、前記データラインの方向に沿って少なくとも３色が反復的に配置されるとともに、前記ゲートラインの方向に沿って同じ色が配置される複数の画素セルを含む液晶表示装置の駆動方法において、
前記データラインの方向に沿って２Ｎ（Ｎは、自然数）個の画素セル単位に相互に異なる極性の画像信号が供給されることを特徴とする、液晶表示装置の駆動方法。
【請求項９】
前記データラインの方向に沿って隣接する少なくとも３色の画素セルは、一つの単位画素を構成することを特徴とする、請求項８に記載の液晶表示装置の駆動方法。
【請求項１０】
複数のデータライン及びゲートラインによって定義される領域ごとに形成され、前記データラインの方向に沿って少なくとも３色が反復的に配置されるとともに前記ゲートラインの方向に沿って同じ色が配置される複数の画素セルと、前記データラインの方向に沿って隣接する少なくとも３色の画素セルで構成された単位画素とを含む液晶表示装置の駆動方法において、
前記ゲートラインに順次にゲート信号を供給する段階と、
前記ゲート信号に同期して前記データラインに画像信号を供給する段階と、を含んでなり、
前記各単位画素の少なくとも３色画素セルに供給される画像信号のうち、トランジッションが発生する前記画素セルは、前記データラインの方向に沿って隣接する単位画素と異なることを特徴とする、液晶表示装置の駆動方法。
【請求項１１】
１水平区間を第１乃至第３サブ区間に時分割し、外部からのソースデータを前記各サブ区間に対応するようにデータ信号として整列する段階と、
前記データラインの方向に沿って２Ｎ個の画素セル単位に画像信号の極性を異ならせるための極性制御信号を含む制御信号を生成する段階と、
をさらに含んでなることを特徴とする、請求項８または請求項１０に記載の液晶表示装置の駆動方法。
【請求項１２】
前記データラインに画像信号を供給する段階は、前記各サブ区間に対応するように整列された前記データ信号を前記画像信号に変換するとともに、前記極性制御信号によって前記画像信号の極性を反転させて前記データラインに供給することを特徴とする、請求項１１に記載の液晶表示装置の駆動方法。
【請求項１３】
前記ゲートラインの方向に沿って隣接する画素セルには、相互に異なる極性の画像信号が供給されることを特徴とする、請求項１２に記載の液晶表示装置の駆動方法。
【発明の詳細な説明】
【技術分野】
【０００１】
本発明は、液晶表示装置に係り、特に、データライン数の減少及び画質向上が図られる液晶表示装置及びその駆動方法に関する。
【背景技術】
【０００２】
近年、陰極線管（Ｃａｔｈｏｄｅ  Ｒａｙ  Ｔｕｂｅ）における大きい重さと体積の問題を解消できる各種平板表示装置（Ｆｌａｔ  Ｐａｎｅｌ  Ｄｉｓｐｌａｙ）が台頭してきている。平板表示装置には、液晶表示装置（Ｌｉｑｕｉｄ  Ｃｒｙｓｔａｌ  Ｄｉｓｐｌａｙ）、電界放出表示装置（Ｆｉｅｌｄ  Ｅｍｉｓｓｉｏｎ  Ｄｉｓｐｌａｙ）、プラズマ表示パネル（Ｐｌａｓｍａ  Ｄｉｓｐｌａｙ  Ｐａｎｅｌ）及び発光表示装置（Ｌｉｇｈｔ  Ｅｍｉｔｔｉｎｇ  Ｄｉｓｐｌａｙ）などがある。なかでも、液晶表示装置は、電界を用いて液晶の光透過率を調節することによって画像を表示する。
【０００３】
図１は、一般の液晶表示装置を概略的に示す図である。
【０００４】
図１を参照すると、一般の液晶表示装置は、複数のデータラインＤＬ及びゲートラインＧＬによって定義される領域ごとに形成された複数の画素セルを備えて構成される。
【０００５】
各画素セルは、ゲートラインＧＬの方向に赤色Ｒ、緑色Ｇ及び青色Ｂの画素セルが反復的に配置される垂直ストライプ形態の画素構造を持つ。ここで、赤色Ｒ、緑色Ｇ及び青色Ｂの画素セルは、一つのカラー画像を表示するための単位画素を構成する。
【０００６】
各画素セルは、データラインＤＬとゲートラインＧＬに接続された薄膜トランジスタＴと、薄膜トランジスタＴに接続された画素Ｐとを備えて構成される。薄膜トランジスタＴは、ゲートラインＧＬに供給されるゲート信号によってターンオンされ、データラインＤＬに供給される画像信号を画素Ｐに供給する。画素Ｐは、薄膜トランジスタＴから供給される画像信号によって光透過率を調節する。
【０００７】
このような一般的な液晶表示装置では、ゲートラインＧＬに順次にゲート信号が供給されるとともに、データラインＤＬに画像信号が供給されることによって、ゲート信号によって薄膜トランジスタＴがターンオンされ、データラインＤＬに供給された画像信号が画素Ｐに供給される。こうなると、各画素セルは、画素Ｐに供給される画像信号によって光透過率を調節し、画像信号に対応するカラー画像を表示する。
【発明の開示】
【発明が解決しようとする課題】
【０００８】
しかしながら、一般の液晶表示装置は、垂直ストライプ形態の画素構造を持つから、単位画素を駆動するためには３つのデータラインが必要とされる。このため、データラインに画像信号を供給するデータドライバの出力チャネル数が増加し、製造コストが増加するという問題点があった。
【０００９】
本発明は上記の問題点を解決するためのもので、その目的は、データラインの数を減少させることができる液晶表示装置及びその駆動方法を提供することにある。
【００１０】
また、本発明の他の目的は、画質を向上させるとともに消費電力を減少させることができる液晶表示装置及びその駆動方法を提供することにある。
【課題を解決するための手段】
【００１１】
上記の目的を達成するための本発明の一側面に係る液晶表示装置は、複数のデータライン及びゲートラインによって定義される領域ごとに形成され、前記データラインの方向に沿って少なくとも３色が反復的に配置されるとともに、前記ゲートラインの方向に沿って同じ色が配置される複数の画素セルを持つ表示部を備えてなり、前記データラインの方向に沿って２Ｎ（Ｎは、自然数）個の画素セル単位に相互に異なる極性の画像信号が供給される構成とした。
【００１２】
前記データラインの方向に沿って隣接する少なくとも３色の画素セルは、一つの単位画素を構成することを特徴とする。
【００１３】
本発明の他の側面に係る液晶表示装置は、複数のデータライン及びゲートラインによって定義される領域ごとに形成され、前記データラインの方向に沿って少なくとも３色が反復的に配置されるとともに、前記ゲートラインの方向に沿って同じ色が配置される複数の画素セルと、前記データラインの方向に沿って隣接する少なくとも３色の画素セルで構成された単位画素と、を備えてなり、前記各単位画素の少なくとも３色画素セルのうち、画像信号のトランジッション（Ｔｒａｎｓｉｔｉｏｎ）が発生する前記画素セルが、前記データラインの方向に沿って隣接する単位画素と異なる構成とした。
【００１４】
上記の液晶表示装置のそれぞれは、前記ゲートラインを順次に駆動するゲートドライバと、前記データラインに画像信号を供給するデータドライバと、外部からのソースデータをデータ信号として整列して前記データドライバに供給するとともに、前記ゲート及び前記データドライバを制御するタイミング制御部と、をさらに備えることを特徴とする。
【００１５】
前記タイミング制御部は、１水平区間を第１乃至第３サブ区間に時分割し、前記ソースデータを前記各サブ区間に対応するように前記データ信号として整列して前記データドライバに供給し、前記データラインの方向に沿って２Ｎ個の画素セル単位に画像信号の極性を異ならせるための極性制御信号を含む制御信号を生成することを特徴とする。
【００１６】
前記データドライバは、前記データ信号を前記画像信号に変換するとともに、前記極性制御信号によって前記画像信号の極性を反転させて前記データラインに供給することを特徴とする。
【００１７】
前記データドライバは、前記ゲートラインの方向に沿って隣接する画素セルに相互に異なる極性の画像信号を供給することを特徴とする。
【００１８】
本発明の一側面に係る液晶表示装置の駆動方法は、複数のデータライン及びゲートラインによって定義される領域ごとに形成され、前記データラインの方向に沿って少なくとも３色が反復的に配置されるとともに、前記ゲートラインの方向に沿って同じ色が配置される複数の画素セルを含む液晶表示装置の駆動方法であって、前記データラインの方向に沿って２Ｎ（Ｎは、自然数）個の画素セル単位に相互に異なる極性の画像信号が供給される構成とした。
【００１９】
本発明の他の側面に係る液晶表示装置の駆動方法は、複数のデータライン及びゲートラインによって定義される領域ごとに形成され、前記データラインの方向に沿って少なくとも３色が反復的に配置されるとともに前記ゲートラインの方向に沿って同じ色が配置される複数の画素セルと、前記データラインの方向に沿って隣接する少なくとも３色の画素セルで構成された単位画素とを含む液晶表示装置の駆動方法であって、前記ゲートラインに順次にゲート信号を供給する段階と、前記ゲート信号に同期して前記データラインに画像信号を供給する段階と、を含んでなり、前記各単位画素の少なくとも３色画素セルに供給される画像信号のうち、トランジッションが発生する前記画素セルは、前記データラインの方向に沿って隣接する単位画素と異なる構成とした。
【００２０】
上記の液晶表示装置の駆動方法のそれぞれは、１水平区間を第１乃至第３サブ区間に時分割し、外部からのソースデータを前記各サブ区間に対応するようにデータ信号として整列する段階と、前記データラインの方向に沿って２Ｎ個の画素セル単位に画像信号の極性を異ならせるための極性制御信号を含む制御信号を生成する段階と、をさらに含んでなることを特徴とする。
【００２１】
前記データラインに画像信号を供給する段階は、前記各サブ区間に対応するように整列された前記データ信号を前記画像信号に変換するとともに、前記極性制御信号によって前記画像信号の極性を反転させて前記データラインに供給することを特徴とする。
【００２２】
前記ゲートラインの方向に沿って隣接する画素セルには、相互に異なる極性の画像信号が供給されることを特徴とする。
【発明の効果】
【００２３】
本発明の液晶表示装置及びその駆動方法は、データラインの方向に沿って少なくとも３色が反復的に配置されるとともに、ゲートラインの方向に沿って同じ色が配置される複数の画素セルを含むため、データラインの数及びそれによるデータドライバの出力チャネル数をそれぞれ１／３に減少させ、製造コストを減少させることが可能になる。
【００２４】
また、本発明によれば、データラインの方向に沿って２Ｎ個の画素セル単位に画像信号の極性を反転させるとともに、ゲートラインの方向に沿って画素セル単位に画像信号の極性を反転させるため、消費電力を減少させることが可能になり、かつ、隣接する単位画素ごとに画像信号のトランジッションが異なるため、色感不良を防止することが可能になる。
【発明を実施するための最良の形態】
【００２５】
以下、添付の図面を参照しつつ、本発明の好適な実施例について具体的に説明する。
【００２６】
図２は、本発明の実施例による液晶表示装置を概略的に示す図である。
【００２７】
図２を参照すると、本発明の実施例による液晶表示装置は、複数のデータラインＤＬ及びゲートラインＧＬによって定義される領域ごとに形成され、データラインの方向（垂直方向）に少なくとも３色が反復的に配置されるとともに、ゲートライン（水平方向）の方向に同じ色が配置される複数の画素セルを持つ表示部１１０；ゲートラインＧＬを順次に駆動するゲートドライバ１２０；データラインＤＬに画像信号を供給するデータドライバ１３０；及び、データラインＤＬの方向に沿って２Ｎ（Ｎは、自然数）個の画素セル単位に相互に異なる極性の画像信号が供給されるようにゲート及びデータドライバ１２０，１３０を制御するタイミング制御部１４０を備えて構成される。
【００２８】
表示部１１０は、一定の間隔に互いに並んで形成された複数のデータラインＤＬと、各データラインＤＬと交差するように一定の間隔に互いに並んで形成された複数のゲートラインＧＬと、データラインＤＬとゲートラインＧＬによって定義される領域ごとに形成された複数の画素セルと、を備えて構成される。
【００２９】
各画素セルは、データラインＤＬの方向に赤色Ｒ、緑色Ｇ及び青色Ｂの画素セルが反復的に配置されるとともに、ゲートラインの方向に沿って同じ色の画素セルが配置される。これによって、表示部１１０は、水平ストライプ形態の画素構造を持つ。このような赤色Ｒ、緑色Ｇ及び青色Ｂの画素セルは、一つのカラー画像を表示する単位画素を構成する。
【００３０】
各画素セルは、データラインＤＬとゲートラインＧＬに接続された薄膜トランジスタＴと、薄膜トランジスタＴに接続された画素Ｐとを備えて構成される。薄膜トランジスタＴは、ゲートラインＧＬに供給されるゲート信号によってターンオンされ、データラインＤＬに供給される画像信号を画素Ｐに供給する。画素Ｐは、液晶を介在して共通電極と薄膜トランジスタ（ＴＦＴ）に接続された画素電極で構成されるので、等価的に液晶キャパシタとして表示されることができる。また、液晶セルは、液晶キャパシタに充電された画像信号を次の画像信号が充電されるまで保持するためのストレージキャパシタを備えて構成される。
【００３１】
また、各画素セルは、データラインＤＬの方向に赤色Ｒ、緑色Ｇ、青色Ｂ及び白色ｗの画素セルが反復的に配置されるとともに、ゲートラインの方向に沿って同じ色の画素セルが配置されることができる。この場合、赤色Ｒ、緑色Ｇ及び青色Ｂの画素セルのそれぞれには該当のカラーフィルタが形成されるが、白色画素セルｗにはカラーフィルタが形成されない。以下、各単位画素は、赤色Ｒ、緑色Ｇ及び青色Ｂの画素セルで構成されたものとする。
【００３２】
タイミング制御部１４０は、外部からのソースデータＤａｔａを表示部１１０の駆動に合うように整列してデータドライバ１３０に供給する。
【００３３】
具体的に、タイミング制御部１４０は、１水平区間に、単位画素である赤色Ｒ、緑色Ｇ及び青色Ｂの画素セルに画像信号を供給するために、１水平区間を第１乃至第３サブ区間に時分割する。これにより、タイミング制御部１４０は、第１乃至第３サブ区間に対応するようにソースデータＤａｔａを整列する。そして、タイミング制御部１４０は、第１サブ区間に赤色のソースデータＲをデータドライバ１３０に供給し、第２サブ区間に緑色のソースデータＧをデータドライバ１３０に供給し、第３サブ区間に青色のソースデータＢをデータドライバ１３０に供給する。
【００３４】
また、タイミング制御部１４０は、外部からのドットクロックＤＣＬＫ、データイネーブル信号ＤＥ、垂直及び水平同期信号Ｖｓｙｎｃ，Ｈｓｙｎｃのうちの少なくとも一つを用いて各水平区間の第１乃至第３サブ区間に該当の画像信号を表示部１１０の各画素セルに供給するためのゲート制御信号ＧＣＳ及びデータ制御信号ＤＣＳを生成する。
【００３５】
ゲート制御信号ＧＣＳは、ゲートドライバ１２０の駆動タイミングを制御するためのもので、ゲートスタートパルス（ＧＳＰ）、ゲートシフトクロック（ＧＳＣ）及びゲート出力イネーブル（ＧＯＥ）を含む。
【００３６】
データ制御信号ＤＣＳは、データドライバ１３０の駆動タイミングを制御するためのもので、ソース出力イネーブル（ＳＯＥ）、ソースシフトクロック（ＳＳＣ）、ソーススタートパルス（ＳＳＰ）及び極性制御信号（ＰＯＬ）などを含む。ここで、タイミング制御部１４０は、データラインＤＬの方向に沿って２個の画素セル単位に画像信号の極性を反転させるための極性制御信号（ＰＯＬ）を生成する。
【００３７】
ゲートドライバ１２０は、タイミング制御部１４０からのゲート制御信号ＧＣＳによって順次にゲート信号を発生してゲートラインＧＬに順次に供給する。これにより、表示部１１０のゲートラインＧＬは、ゲートドライバ１２０からのゲート信号によって順次に駆動される。この時、ゲートドライバ１２０は、薄膜トランジスタの製造工程と同時に、表示部１１０の形成された基板上に形成されてゲートラインＧＬに接続されることができる。
【００３８】
データドライバ１３０は、タイミング制御部１４０からのデータ制御信号ＤＣＳによってタイミング制御部１４０から供給されるデータ信号ＲＧＢをアナログ信号の画像信号に変換し、各データラインＤＬに供給する。この時、データドライバ１３０は、データ制御信号ＤＣＳのうち極性制御信号（ＰＯＬ）によって、データラインＤＬの方向に沿って２個の画素セル単位に画像信号の極性を反転させるとともに、ゲートラインＧＬの方向に沿って画素セル単位に画像信号の極性を反転させる。
【００３９】
図３は、本発明の一実施例による液晶表示装置の駆動方法を概略的に示す波形図であり、図４は、本発明の一実施例による液晶表示装置の駆動方法によって表示部に供給される画像信号の極性パターンを示す図である。
【００４０】
次に、図３及び図４を参照して、本発明の一実施例による液晶表示装置及びその駆動方法について説明する。
まず、第１水平区間の第１サブ区間では、第１ゲートラインＧＬ１にゲート信号が供給されると同期してデータラインＤＬに正極性（＋）の赤色画像信号Ｒ＋が供給される。これにより、第１水平ラインの各画素セルは、正極性の赤色画像信号Ｒ＋に対応する赤色画像を表示する。
【００４１】
続いて、第１水平区間の第２サブ区間では、第２ゲートラインＧＬ２にゲート信号が供給されると同期してデータラインＤＬに正極性の緑色画像信号Ｇ＋が供給される。これにより、第２水平ラインの各画素セルは、正極性の緑色画像信号Ｇ＋に対応する緑色画像を表示する。
【００４２】
続いて、第１水平区間の第３サブ区間では、第３ゲートラインＧＬ３にゲート信号が供給されると同期してデータラインＤＬに負極性（−）の青色画像信号Ｂ−が供給される。これにより、第３水平ラインの各画素セルは、負極性の青色画像信号Ｂ−に対応する青色画像を表示する。
【００４３】
このような第１水平区間では、第１乃至第３サブ区間のそれぞれに表示される赤色、緑色及び青色画像を混合して一つの単位画素に所望のカラー画像を表示する。
【００４４】
続いて、第２水平区間の第１サブ区間では、第４ゲートラインＧＬ４にゲート信号が供給されると同期してデータラインＤＬに負極性の赤色画像信号Ｒ−が供給される。これにより、第４水平ラインの各画素セルは、負極性の赤色画像信号Ｒ−に対応する赤色画像を表示する。
【００４５】
続いて、第２水平区間の第２サブ区間では、第５ゲートラインＧＬ５にゲート信号が供給されると同期してデータラインＤＬに正極性の緑色画像信号Ｇ＋が供給される。これにより、第５水平ラインの各画素セルは、正極性の緑色画像信号Ｇ＋に対応する緑色画像を表示する。
【００４６】
続いて、第２水平区間の第３サブ区間では、第６ゲートラインＧＬ６にゲート信号が供給されると同期してデータラインＤＬに正極性の青色画像信号（Ｂ＋が供給される。これにより、第６水平ラインの各画素セルは、正極性の青色画像信号Ｂ＋に対応する青色画像を表示する。
【００４７】
このような第２水平区間では、第１乃至第３サブ区間のそれぞれに表示される赤色、緑色及び青色画像を混合して一つの単位画素に所望のカラー画像を表示する。
【００４８】
同様に、第２水平区間以降の各水平区間の各画素セルには、上記の第１及び第２水平区間の順序と同じ極性パターンを持つ画像信号が供給される。
【００４９】
したがって、上記の本発明の一実施例による液晶表示装置及びその駆動方法によれば、データラインの方向に沿って少なくとも３色が反復的に配置されるとともに、ゲートラインの方向に沿って同じ色が配置される複数の画素セルを含むことによって、データラインの数が１／３に減少し、これによりデータドライバ１３０の出力チャネル数も１／３に減少するため、製造コストを減少させることが可能になる。ここで、データラインの数が１／３に減少する代わりにゲートラインの数は３倍に増加するが、ゲートラインを駆動するゲートドライバ１２０の構成は、データドライバ１３０の構成に比べて相対的に簡単なため、製造コストなどに大きく影響を及ぼさない。一方、上記のように、ゲートドライバ１２０を薄膜トランジスタの製造工程と同時に基板上に形成すると、追加の費用がかからない。
【００５０】
また、本発明の実施例による液晶表示装置及びその駆動方法は、データラインＤＬの方向に沿って２個の画素セル単位に画像信号の極性を反転させているため、各単位画素の赤色Ｒ、緑色Ｇ及び青色Ｂの画素セルのうち、画像信号のトランジッション（Ｔｒａｎｓｉｔｉｏｎ）が発生する画素セルが隣接する単位画素ごとに異なるため、特定色の画素セルが明るく見えたり暗く見えたりする色感不良を防止できる。すなわち、奇数番目の水平区間では第１及び第３サブ区間で画像信号のトランジッションが発生し、偶数番目の水平区間では第２サブ区間でのみ画像信号のトランジッションが発生する。したがって、本発明は、隣接する単位画素ごとに画像信号のトランジッションが異なるため、色感不良が防止できる。
【００５１】
図５は、本発明の他の実施例による液晶表示装置の駆動方法を概略的に示す波形図であり、図６は、本発明の他の実施例による液晶表示装置の駆動方法によって表示部に供給される画像信号の極性パターンを示す図である。
【００５２】
図５及び図６に示すように、本発明の他の実施例による液晶表示装置及びその駆動方法は、データラインＤＬの方向に沿って各画素セルに供給される画像信号の極性パターン以外は、上記の本発明の一実施例と同じ構成を持つ。すなわち、本実施例による液晶表示装置及びその駆動方法は、極性制御信号（ＰＯＬ）によってデータラインＤＬの方向に沿って４個の画素セル単位に画像信号の極性を反転させるとともに、ゲートラインＧＬの方向に沿って画素セル単位に画像信号の極性を反転させる。
【００５３】
したがって、本発明の他の実施例による液晶表示装置及びその駆動方法は、上記の本発明の一実施例と同じ効果を奏でる。
【００５４】
同様に、本発明のさらに他の実施例による液晶表示装置及びその駆動方法は、極性制御信号（ＰＯＬ）によってデータラインＤＬの方向に沿って２Ｎ個の画素セル単位に画像信号の極性を反転させるとともにゲートラインＧＬの方向に沿って画素セル単位に画像信号の極性を反転させることによって、上述の効果を奏でる。
【００５５】
なお、本発明の各実施例による液晶表示装置及びその駆動方法は、画像信号の極性信号をデータラインＤＬの方向に沿って２Ｎ個の画素セル単位に反転させることによって画像信号のトランジッション数を減少させ、消費電力を減少させることができる。
以上では具体的な実施例及び添付の図面に挙げて本発明を説明してきたが、本発明に具体例に限定されず、本発明の技術的思想を逸脱しない範囲内で様々な置換、変形及び変更が可能であるということは、本発明の属する技術分野における通常の知識を持つ者にとっては明白である。
【図面の簡単な説明】
【００５６】
【図１】一般の液晶表示装置を概略的に示す図である。
【図２】本発明の一実施例による液晶表示装置を概略的に示す図である。
【図３】本発明の一実施例による液晶表示装置の駆動方法を概略的に示す波形図である。
【図４】本発明の一実施例による液晶表示装置の駆動方法によって表示部に供給される画像信号の極性パターンを示す図である。
【図５】本発明の他の実施例による液晶表示装置の駆動方法を概略的に示す波形図である。
【図６】本発明の他の実施例による液晶表示装置の駆動方法によって表示部に供給される画像信号の極性パターンを示す図である。
【符号の説明】
【００５７】
１１０    表示部
１２０    ゲートドライバ
１３０    データドライバ
１４０    タイミング制御部
【図１】
2008139872.tif 000003
【図２】
2008139872.tif 000004
【図３】
2008139872.tif 000005
【図４】
2008139872.tif 000006
【図５】
2008139872.tif 000007
【図６】
2008139872.tif 000008